(57)【要約】見積もり要請に対する妥当な応答を提供するシステムおよび方法が提供される。本発明のある実施形態では、本発明に基づくシステムは好ましくはサーバーを含む。サーバーはサーバー記憶装置と、該サーバー記憶装置に接続されたサーバー・プロセッサとを含む。サーバー記憶装置は好ましくは、サーバー・プロセッサを制御するサーバー・プログラムを記憶する。サーバー・プロセッサは好ましくは、あるアイテムを売却するという市場検証されたオファーを求める要請する参加者からの要請を受信し、該要請に応答する応答参加者からオファー価格を受信し、受信されたオファー価格よりも低い価格を含むビッドを電子市場に提供するよう動作する。【特許請求の範囲】
【請求項１】
電子取引方法であって：
あるアイテムについての市場検証されたビッドを求める要請する参加者からの要請を受信する段階と；
前記要請に応答して応答する参加者からビッド価格を受信する段階と；
受信したビッド価格より高い価格をもつオファーを電子市場に提供する段階と；
前記オファーが前記市場で受け容れられた場合に、前記アイテムを前記オファーの前記のより高い価格で売却する段階と；
前記オファーが前記市場で受け容れられなかった場合に、前記要請する参加者と前記応答する参加者との間で、前記応答する参加者から受信された前記ビッド価格で、前記アイテムについてのトランザクションを実行する段階とを有する、
方法。
【請求項２】
前記オファーが前記市場で受け容れられた場合に、前記応答する参加者に対してコミッションを提供する段階をさらに有する、請求項１記載の方法。
【請求項３】
前記ビッドと前記電子市場に提供されたオファーとの間の価格差がユーザー定義可能である、請求項１記載の方法。
【請求項４】
前記ビッドと前記電子市場に提供されたオファーとの間の価格差を事前設定する段階をさらに有する、請求項１記載の方法。
【請求項５】
前記要請する参加者と前記応答する参加者との間で前記トランザクションが実行される前に、所定の時間期間にわたって、前記電子市場に提供されるオファーを前記電子市場において利用可能な状態に維持することをさらに含む、請求項１記載の方法。
【請求項６】
前記アイテムを前記オファーの前記のより高い価格で売却する段階が、前記要請する参加者に代わって売却することを含む、請求項１記載の方法。
【請求項７】
電子取引方法であって：
あるアイテムを売却する市場検証されたオファーを求める要請する参加者からの要請を受信する段階と；
前記要請に応答して応答する参加者からオファー価格を受信する段階と；
受信したオファー価格より低い価格をもつビッドを電子市場に提供する段階と；
前記ビッドが前記市場で受け容れられた場合に、前記アイテムを前記ビッドの前記のより低い価格で、前記要請する参加者に代わって購入する段階と；
前記ビッドが前記市場で受け容れられなかった場合に、前記要請する参加者と前記応答する参加者との間で、前記応答する参加者から受信された前記オファー価格で、前記アイテムについてのトランザクションを実行する段階とを有する、
方法。
【請求項８】
前記ビッドが前記市場で受け容れられた場合に、前記応答する参加者に対してコミッションを提供する段階をさらに有する、請求項７記載の方法。
【請求項９】
前記オファーと前記電子市場に提供されたビッドとの間の価格差がユーザー定義可能である、請求項７記載の方法。
【請求項１０】
前記オファーと前記電子市場に提供されたビッドとの間の価格差を事前設定する段階をさらに有する、請求項７記載の方法。
【請求項１１】
前記要請する参加者と前記応答する参加者との間で前記トランザクションが実行される前に、所定の時間期間にわたって、前記電子市場に提供されるビッドを前記電子市場において利用可能な状態に維持することをさらに含む、請求項７記載の方法。
【請求項１２】
前記アイテムを前記ビッドの前記のより低い価格で購入する段階が、前記要請する参加者に代わって購入することを含む、請求項７記載の方法。
【請求項１３】
サーバー記憶装置および該サーバー記憶装置に接続されたサーバー・プロセッサを有するサーバーを有する取引システムであって、前記サーバー記憶装置は前記サーバー・プロセッサを制御するためのサーバー・プログラムを記憶しており、
前記サーバー・プロセッサは：
あるアイテムについての市場検証されたビッドを求める要請する参加者からの要請を受信する段階と；
前記要請に応答して応答する参加者からビッド価格を受信する段階と；
受信したビッド価格より高い価格をもつオファーを電子市場に提供する段階と；
前記オファーが前記市場で受け容れられた場合に、前記アイテムを前記オファーの前記のより高い価格で売却する段階と；
前記オファーが前記市場で受け容れられなかった場合に、前記要請する参加者と前記応答する参加者との間で、前記応答する参加者から受信された前記ビッド価格で、前記アイテムについてのトランザクションを実行する段階とを行うよう動作する、
システム。
【請求項１４】
前記サーバー・プロセッサが、前記オファーが前記市場で受け容れられた場合に、前記応答する参加者に対してコミッションを提供する段階を行うようさらに動作する、請求項１３記載のシステム。
【請求項１５】
前記ビッドと前記電子市場に提供されたオファーとの間の価格差がユーザー定義可能である、請求項１３記載のシステム。
【請求項１６】
前記サーバー・プロセッサが、前記ビッドと前記電子市場に提供されたオファーとの間の価格差を事前設定する段階を行うようさらに動作する、請求項１３記載のシステム。
【請求項１７】
前記サーバー・プロセッサが、前記要請する参加者と前記応答する参加者との間で前記トランザクションが実行される前に、所定の時間期間にわたって、前記電子市場に提供されるオファーを前記電子市場において利用可能な状態に維持するようさらに動作する、請求項１３記載のシステム。
【請求項１８】
前記サーバー・プロセッサが、前記アイテムを前記オファーの前記のより高い価格で、前記要請する参加者に代わって売却するようさらに動作する、請求項１３記載のシステム。
【請求項１９】
サーバー記憶装置および該サーバー記憶装置に接続されたサーバー・プロセッサを有するサーバーを有する取引システムであって、前記サーバー記憶装置は前記サーバー・プロセッサを制御するためのサーバー・プログラムを記憶しており、
前記サーバー・プロセッサは：
あるアイテムを売却する市場検証されたオファーを求める要請する参加者からの要請を受信する段階と；
前記要請に応答して応答する参加者からオファー価格を受信する段階と；
受信したオファー価格より低い価格をもつビッドを電子市場に提供する段階と；
前記ビッドが前記市場で受け容れられた場合に、前記アイテムを前記ビッドの前記のより低い価格で、前記要請する参加者に代わって購入する段階と；
前記ビッドが前記市場で受け容れられなかった場合に、前記要請する参加者と前記応答する参加者との間で、前記応答する参加者から受信された前記オファー価格で、前記アイテムについてのトランザクションを実行する段階とを行うよう動作する、
システム。
【請求項２０】
前記サーバー・プロセッサが、前記ビッドが前記市場で受け容れられた場合に、前記応答する参加者に対してコミッションを提供する段階をさらに有する、請求項１９記載のシステム。
【請求項２１】
前記オファーと前記電子市場に提供されたビッドとの間の価格差がユーザー定義可能である、請求項１９記載のシステム。
【請求項２２】
前記サーバー・プロセッサが、前記オファーと前記電子市場に提供されたビッドとの間の価格差を事前設定するようさらに動作する、請求項１９記載のシステム。
【請求項２３】
前記サーバー・プロセッサが、前記要請する参加者と前記応答する参加者との間で前記トランザクションが実行される前に、所定の時間期間にわたって、前記電子市場に提供されるビッドを前記電子市場において利用可能な状態に維持するようさらに動作する、請求項１９記載のシステム。
【請求項２４】
前記サーバー・プロセッサが、前記アイテムを前記ビッドの前記のより低い価格で購入する段階を、前記要請する参加者に代わって実行するようさらに動作する、請求項１９記載のシステム。
【請求項２５】
プロセッサによって実行されると請求項１記載の方法を実行するプログラムを記憶している、電子取引システムにおいてアイテムを取引するための、コンピュータ可読媒体。
【発明の詳細な説明】
【技術分野】
【０００１】
〈関連出願との相互参照〉
本願は2005年11月23日に出願された米国仮特許出願第60/739,120号の恩恵を主張するものである。
【０００２】
〈発明の背景〉
本発明は、電子取引システム（electronic  trading  system）に関する。より詳細には、本発明は、見積もり請求（RFQ:  Request  for  Quote）取引方法に基づく電子取引システムに関する。
【背景技術】
【０００３】
RFQ法は典型的には、特定の市場で第一の参加者が複数の参加者に見積もりの請求（ビッドの請求またはオファーの請求のどちらでもよい）を送信することによって開始される。たとえば、第一の参加者は、参加者の選抜グループが該第一の参加者に、五年物米国財務省中期証券について含み価値（notional  value）で5000万ドル分（以下、百万(million)をmで表す、すなわち5000万＝50m）のビッドを提供することを請求することがありうる。応答する参加者のグループのそれぞれは、該それぞれの参加者が50mの五年物証券を購入する見積もりをもって応答しうる。すると、第一の参加者は、返ってきた見積もりのうちから最良の見積もりと取引することを選択しうる。
【０００４】
RFQベースの電子取引の到来は、確定利付証券市場のある種のセクターにおける取引高を著しく上昇させた。さらに、RFQベースの電子取引は、部分的には、より高い透明性を生成した市場の取引高の増大のため、見積もりを請求する参加者にとってのトランザクション・コスト――たとえばマージン――を著しく下げもした。
【０００５】
マージン低下は実質的に、RFQベースの電子取引におけるディーラー手数料の低下によって引き起こされてきた。さらに、RFQベースの電子取引は、債券ディーラー／債券クライアントの関係の重要性を最小化しもした。というのも、小売財務省証券市場においてRFQベースの電子取引において応答参加者の一を選択する際に最も重要な決定要因は、価格になったからである（米国財務省証券市場では、クライアントが典型的には見積もりを請求し、ディーラーが典型的には請求に応答する）。債券ディーラー／債券クライアント関係の重要性のこの最小化は、ディーラー間の価格競争を増し、それによりディーラーの収益性に負の影響を与えた。ディーラーの収益性に対する著しい負の影響は、小売債券業界の全般的な低落につながり、実際のところ、業界から一握りを除いてほとんどの参加者を消滅させうる。これは競争を低下させ、その後、競争の激しい小売債券市場をもつことにおける公共の利益を害する。
【０００６】
したがって、小売債券業界の保護のため、RFQベースの電子取引において近年達成された価格形成の利点を保護しながら、債券ディーラー／債券クライアントの関係を復元するシステムおよび方法を提供することが望ましい。
【発明の開示】
【発明が解決しようとする課題】
【０００７】
RFQベースの電子取引において、近年達成された価格形成の利点を保護しながら、債券ディーラー／債券クライアントの関係を復元するシステムおよび方法を提供することが本発明の一つの目的である。
【課題を解決するための手段】
【０００８】
この目的およびその他の目的は、本発明の原理に基づいて、ユーザー・インターフェースを通じて、アイテムについての市場情報を表示し、アイテムの電子取引を許容するシステムおよび方法を提供することによって達成される。より特定的には、本発明のいくつかの実施形態は、市場検証された（market-validated）ビッドおよび／またはオファーを処理する電子取引システムとともに使うためのダイアログ・ボックスを提供する。あるアイテムについてのそのようなビッド（またはオファー）の一つまたは複数の請求は、システムが請求する参加者から受信しうる。該請求に応答して、応答する参加者からビッド（またはオファー）が受信されてもよく、該応答する参加者または他の好適な者によって電子市場に対してより高い（またはより低い）価格をもつオファー（またはビッド）がなされてもよい。そのような電子市場は、米国ニューヨーク州ニューヨークのeSpeed社の二年物米国財務省証券の電子市場または他の好適な電子市場であってもよい。（本発明のある種の実施形態では、「eSpeed」ボタンのような、検証（validation）のために特定の市場を指定する「ホットキー」が用いられてもよい。）前記のオファー（またはビッド）が市場で受け容れられる場合、そのアイテムは、請求した参加者のために、オファー価格で売却される（またはビッド価格で購入される）。さらに、応答する参加者は、その成功したオファーを市場に出したことについて、コミッションを提供されてもよい。他方、前記のオファー（またはビッド）が受け容れられない場合、そのアイテムについてのトランザクションは、請求する参加者と応答する参加者の間で、応答する参加者から受信されたビッド（またはオファー）価格で実行されてもよい。したがって、請求する参加者は、相変わらず競争のあるビッドを受け取ることを保証しつつ、多数の相手ではなく一の好ましい相手と取引をできる。
【０００９】
見積もり請求に対して妥当な（valid）応答を提供するシステムおよび方法が提供される。本発明のある実施形態では、本発明に基づくシステムは、好ましくはサーバーを含む。サーバーは、サーバー記憶装置および該サーバー記憶装置に接続されたサーバー・プロセッサを含む。サーバー記憶装置は好ましくは、サーバー・プロセッサを制御するためのサーバー・プログラムを記憶する。サーバー・プロセッサは好ましくは、請求する参加者から、あるアイテムを売るというある市場検証されたオファーの請求を受信し；前記請求に応答して応答する参加者からオファー価格を受信し；前記受信されたオファー価格より低い価格を含むビッドを電子市場に提供するよう動作する。前記ビッドが前記市場で受け容れられる場合、前記サーバー・プロセッサは、前記請求する参加者のために、前記ビッドの前記より低い価格で、前記アイテムを購入するよう動作する。前記ビッドが前記市場で受け容れられない場合、前記サーバー・プロセッサは、前記請求する参加者と前記応答する参加者との間で前記アイテムについてのトランザクションを、前記応答する参加者から受信されたオファー価格で実行するよう動作する。
【００１０】
本発明の上記およびその他の目的および利点は、付属の図面とともに参酌される以下の詳細な記述を考慮することで明白になるであろう。図面において、同様の参照記号は全体を通じて同様の部分を指す。
【発明を実施するための最良の形態】
【００１１】
本発明に基づくシステムおよび方法は、好ましくは、RFQに対して検証された応答を提供する。これは、参加者が見積もり提供者の間の価格競争の利を享受することを許容しつつ、その一方で債券小売業に債券ディーラー／債券クライアント関係の要素を再導入する。
【００１２】
本発明のいくつかの実施形態では、参加者が、一または複数の応答する参加者の返された見積もりを好ましくは比較考量することを許容する注文種別が提供される。たとえば、参加者が、50mの五年物証券についての本発明に基づく検証されたビッドを請求するとき（請求は一または複数の参加者からなされてよい）、応答する参加者は価格100.16+のビッドで応答することがありうる（この表現は、応答する参加者が、その証券の額面価値100万ドル当たり$1,005,156の価格で50mの五年物証券を買う意思を示したということを表す）。本発明によれば、このビッドは、好ましくは、逆指値注文の形でありうる――すなわち、応答する参加者は、少なくとも100.16+について50m買うことを請け合い、のちに説明するように市場条件に依存して、より高い価格でその50mを買ってもよい。請求する参加者がそのビッドをヒットすることにより応答したのち――すなわち、そのビッド者に50mを売ることを受け容れたのち、応答する参加者は（または応答する参加者のために電子取引システムが）オファーを、好適に流動性のある、好ましくは電子的な市場に、ポストする。そのオファーは、受け容れられたビッドと同じ量についてでもよいし、異なる量についてでもよい。ポストされたオファーは、受け容れられたビッドより、何らかのあらかじめ決定されたユーザー定義の、またはシステムによって事前設定された増分だけ高い価格を含んでいてもよい。あるいはまた、応答する参加者は（または電子取引システムは）そのオファーを、自分がビッドを請求者に呈示する前に、あるいは実質的にそれと同時に、ポストしてもよい。
【００１３】
ポストされたオファー（繰り返すが、これは好ましくは受け容れられたビッドよりも高い）が市場の第三者によって取り上げられる――すなわち受け容れられる――場合、応答者は、本質的には請求者のためのエージェントの役をして、請求者の財務省証券の50mを、請求者に代わって、ポストされたオファーの、より高い価格（当の応答する参加者が支払うつもりがあるよりも高い価格）で売る。応答者はそのアイテムにビッドすることをコミットし、そのビッドの結果として市場からより高い価格が得られたのであるから、応答者は、そのようなトランザクションについてコミッションを受け取ってもよい。しかしながら、取引の終わりには、応答者のビッドは、市場から得られた、より高いビッドによって置き換えられているので、その応答者は、好ましくはその取引の当事者ではない。
【００１４】
あるいはまた、応答者が実際にその取引の当事者になって、それにより実際にその50mを市場で売ってもよい。その場合、好ましくは50mを請求者から買い戻す。
【００１５】
ポストされたオファーが取り上げられない場合、応答者は50mの財務省証券を請求者から、受け容れられたビッドの価格で購入する。この場合、応答者はその取引の当事者である。システムは、ポストされるオファーが適切な電子取引システムにおいて取引されるべく、所定の時間期間にわたって利用可能であることを要求してもよい。この時間期間は事前設定されていても、ユーザー定義可能であってもよい。
【００１６】
本発明に基づくシステムおよび方法の利点の一つは、いくつかの実施形態では、請求者は多数ではなく一の好ましいディーラーと取引でき、それでいて競争のあるビッドを受け取ることが保証されるということである。よって、応答に関連付けられた価格は市場試験されるので、ディーラー／クライアント関係が再確立されることができる。本発明のこの側面のある実施形態では、システムは、請求者を、一か月に所定数のディーラーに制約してもよい。こうして、ディーラーを選択することによって、請求者は、選択されたディーラーに対するある種の識別可能な選好を示したことになる。
【００１７】
本発明のもう一つの側面では、これらの取引から導出されるデータは、暗号化された（またはエンコードされた）データとして制御および散布されてもよい。そうしたデータはその後、権限のあるエンドユーザーによって解読（またはエンコード解除）されることができる。この市場データは、利害関係者に販売されてもよいし、または他の形で選択的な仕方で頒布されてもよい。
【００１８】
前記応答の相対的な妥当度（relative  validity）は、ある種のパラメータを調節することによって、市場条件に関してより高い妥当度または市場条件に関してより低い妥当度に修正されうる。たとえば、（上記した実施形態に関して）応答ビッドとポストされるオファーとの間の増分の大きさを大きくすることによって、第三者がポストされたオファーを取り上げる可能性が下がる。したがって、より大きな増分は、ポストされるオファー（これが市場を試験するために使われているものである）が、提案されるビッドから十分遠く、市場への提示によってそのビッドが検証されないほどなので、応答ビッドの相対的な妥当度を下げる。むしろ、たいていの場合、ポストされるオファーは、受け容れられず、前記ビッドが取引につながることになる。
【００１９】
逆に、応答ビッドとポストされるオファーとの間の増分が比較的小さい場合は、応答ビッドの妥当度は増加する。ポストされるオファーが応答ビッドに比較的近いとき、第三者市場参加者がポストされたオファーを受け容れる可能性がより高くなる。というのも、価格がより低く、したがって第三者市場参加者がビッドする可能性がより高くなるからである。換言すれば、応答ビッドの価格は、比較的より妥当である。というのも、今の例では、提案されるビッドが真の市場価格により近いということが言えるからである。
【００２０】
上記したように、調整できるもう一つのパラメータは、電子市場で、ポストされるオファーが利用可能な状態に維持される――すなわち、他の参加者がそのポストされるオファーをテイクすることが許容される――ことが要求される時間の長さである。ポストされるオファーがより長く市場に出されていることが要求されるほど、応答ビッドはより妥当になる。この原理は、より長い時間期間の間には、何らかの時点で応答者より高くビッドする意思のある別の参加者が現れる可能性がより高くなるという単純な推論に従ったものである。こうして、請求者は、50mの財務省証券について、増分的により高い価格を受け取る可能性がより高くなる。
【００２１】
調節されうるさらにもう一つの修正可能パラメータは、ポストされたオファーを第三者が受け容れるときに請求する参加者から応答する参加者に支払われるコミッションである。このパラメータは調節されうるものの、オファーの妥当度に直接は影響しない。むしろ、ディーラーとクライアントとの間の関係に直接関わる。
【００２２】
応答ビッド／ポストされるオファー間の増分、市場に出している時間および第三者市場トランザクションについてのコミッション（または他の好適な修正可能パラメータ）といったパラメータを修正することによって、ディーラーおよびクライアントは事実上、電子取引の到来前に提供されていた関係と同様の関係にはいる。さらに、利用可能な電子市場の恩恵を利用することによって、クライアントは、単一のディーラーに制約されることから保護される。それは、ディーラーが、該ディーラーのビッド価格よりよい価格を市場の競争の前に出して該ディーラーのビッドを検証することを強制されるからである。
【００２３】
本発明の代替的な諸実施形態では、ビッドまたはオファーの妥当度に影響するパラメータの任意のものが好ましくは、何らかの適切に重み付けされたアルゴリズムによって、単一の妥当度指数を形成するよう組み合わされうる。単一の修正可能な数字をクライアントおよびディーラーに呈示することによって、ディーラーは、好ましいディーラーについての妥当度指数をより低く調節することによって、あるディーラーに対して、別のディーラーよりも優先的な処遇を提供しうる。そのようなより低い妥当度指数は好ましいディーラーによって提供されるビッドの妥当度を下げることがありうるが、好ましいディーラーはクライアントに、優先的な処遇の埋め合わせをする他の恩恵を提供しうる。いずれにせよ、本発明に基づくシステムおよび方法は、好ましくは、クライアントおよびディーラーに、電子取引における競争によって提供される利点を何ら否定することなく、両者の関係を再確立するためのプラットフォームを提供する。実のところ、本発明に基づくシステムおよび方法は、参加者を価格形成圧力が膨大な高度に流動的な取引環境の競争圧力にさらすことなく、競争のある価格形成および大量取引の恩恵に与るために電子市場を使う。
【００２４】
図１は、本発明のいくつかの実施形態に基づくRFQを提出するための注文入力ダイアログ・ボックス（order  entry  dialogue  box）（以下「OEDB」）を示している。OEDB１００は、請求する参加者にさまざまなオプションおよび入力フィールドを提供しうる。これらのオプションおよび入力フィールドの一つまたは複数を使って、参加者は、任意の好適な商品についてビッド・コマンド、オファー・コマンド、購入コマンドまたは売却コマンドといった非RFQ取引コマンド（すなわち、標準的な取引コマンド）を提出してもよい。OEDB１００が作動させられるとき、OEDB１００のフィールドは好ましくは、選択された商品に係る情報を入れられる。たとえば、その商品についての現在の市場価格が価格フィールドに入れられていてもよい。
【００２５】
数字キーパッド１０２がOEDB１００の中心に位置されていてもよい。数字キーパッド１０２は、数字0から9のボタンを具備していてもよく、10、25、50および100または他の任意の好適なもしくは望ましい値についてのボタンを含んでいてもよい。数字キーパッドはまた、プラス・ボタン（「＋」）、マイナス・ボタン（「−」）、小数点ボタン（「．」）、バックスペース・ボタン（「BKS」）および削除ボタン（「DEL」）をも含んでいてもよい。
【００２６】
OEDB１００が参加者に提供しうるものとしては、購入オプション１０４、売却オプション１０６、購入取り消しオプション１０８、売却取り消しオプション１１０、ビッド・オプション１１２、オファー・オプション１１４、ビッド取り消しオプション１１６、オファー取り消しオプション１１８、全ビッド取り消しオプション１２０、全オファー取り消しオプション１２２、全部取り消しオプション１２４、全商品について全部取り消しオプション１２６、価格入力フィールド１２８および量入力フィールド１３０がありうる。
【００２７】
OEDB１００は、RFQ選好フィールド１４４を具備していてもよい。RFQ選好フィールド１４４は、請求する参加者がRFQオプション１４５をOEDB１００から選択するときに利用可能にされてもよい。同様に、RFQ選好フィールド１４４は、RFQオプション１４５が再び選択されると、OEDB１００から除去されてもよい。フィールド１４４が参加者に提供しうるものとしては、RFQ購入オプション１４６、RFQ売却オプション１４８、RFVQ購入オプション１５０およびRFVQ売却１５２がありうる。RFQ購入オプション１４６およびRFQ売却オプション１４８は、請求する参加者が、購入者ポジションからのRFQおよび売却者ポジションからのRFQをそれぞれ提出できるようにする。オプション１５０および１５２は、請求する参加者が、購入者ポジションまたは売却者ポジションのいずれかから妥当な（valid）見積もりを請求するRFQを提出する機会を提供する。
【００２８】
RFQ選好フィールド１４４に組み込まれうるフィールドとしては、最小量フィールド１５４、制限時間フィールド１５６、RFVQ指数フィールド１５８および価格の最小数フィールド１６０がある。請求する参加者は、フィールド１５４において、自分が購入または売却する意思のある商品についての最小量を指定しうる。フィールド１５６を埋めることによって、請求する参加者は、自分のRFQが市場参加者から見積もりを受け取るためにどのくらい長くオープンであるかについての時間制限を指定しうる。請求する参加者がRFVQ指数を指定することを望む場合、上でより詳細に述べたように、請求する参加者はフィールド１５８内の値を指定し、オプション１５０を選択できる。あるいはまた、RFVQ指数に寄与するファクターをより具体的に列挙する別のセットのフィールドが提供されてもよい。これらのファクターは、たとえば、応答見積もりと応答参加者が好適な電子市場に出さなければならない反対見積もり（contra  quote）との間の増分、反対見積もりがポストされていなければならない時間の長さおよび他の任意の好適なファクターを含みうる。
【００２９】
フィールド１６０は、中身が入れられると、請求参加者に、自分の請求に応答して市場参加者から受け取る見積もりの最小数を指定する機会を与える。
【００３０】
OEDB１００はまた、取引選好フィールド１３２をも提供しうる。選好フィールド１３２は、参加者の好ましい取引種別を示すために使用されてもよく、請求する参加者が、特定の交換もしくは取引システムがサポートする任意の取引種別を選択することを許容してもよい。図１は、取引種別の個別的な例（たとえば、取り消されるまで有効（GTC:  good-till-canceled）、指値（limit）、一括（all-or-none）、逆指値（stop）および条件付き成り行き（MIT:  market-if-touched））を与えているが、本発明は、任意の種別の好適な取引について実装されうる。
【００３１】
OEDB１００はまた、RFQについての自動実行機能をも提供しうる。自動実行機能は、選択されると、市場参加者の見積もりに自動的に応答するために使用されうる。たとえば、請求する参加者の見積もり受け容れ基準を満足する見積もりが受信される場合、請求する参加者から受け容れ確認が自動的に送信されてもよく、取引が実行されてもよい。RFQに応答して受信された見積もりを管理する他のさまざまな機能がOEDB１００に組み込まれてもよい。
【００３２】
OEDB１００において提供されるオプションおよびフィールドは、何らかの請求する参加者の必要および選好に適合するよう構成し直されてもよい。構成キーパッド・オプション１３６は、OEDB１００を構成し直す機能を、請求する参加者に提供しうる。アクション時に閉じる（close-on-action）ボックス１３４は、選択されているとき、指定されたアクションが実行されたのちOEDB１００が自動的に閉じられるようにしうる。閉じる（close）オプション１３８は、請求する参加者がオンデマンドでOEDB１００を閉じることを許容する。さらに、請求する参加者が単一ボタンの押下によって実行される特定の命令のセットを持てるようにする、割り当て可能発令ボタン（assignable  issue  buttons）・フィールドが提供されてもよい。フィールド１４０内の発令ボタン（issue  buttons）は、ボタン割り当てオプション１４２を介してしかるべく設定されうる。
【００３３】
図２は、本発明のいくつかの実施形態に基づく方法を示すフローチャートである。ボックス２０２は、ある参加者が、50mの五年物証券について本発明に基づく検証されたビッドを請求することを示している。
【００３４】
ボックス２０４に示されるように、請求する参加者が、ビッドをヒットすることによって応答したのち、ボックス２０６に示されるように、応答する参加者はオファーを好適な電子市場にポストする（好ましくは、何らかの所定の時間）。オファーは、受け容れられたビッドと同じ量についてでも異なる量についてでもよい。ポストされるオファーは、受け容れられたビッドよりも何らかの所定の増分だけ高くてもよい。請求する参加者は、応答する参加者のビッド（また場合に応じてオファー）を受け容れることを要求されなくてもよいことを注意しておくべきである。むしろ、請求する参加者は、そのビッドを拒否して、ポストされるオファーへの市場応答を待ってもよい。
【００３５】
ボックス２０８は、ポストされたオファーが市場で受け容れられる（一般に、そのオファーが「取り上げられる（lifted）」という）かどうかを問う。ボックス２１０は、応答する参加者が、請求する参加者に代わって、請求する参加者の50mの財務省証券を、ポストされたオファーのより高い価格で売却し、したがってコミッションを受け取ることを示している。
【００３６】
ボックス２１２は、応答する参加者が、請求する参加者から50mの財務省証券をビッドの価格で買うことを示している。
【００３７】
本発明のある実施形態では、特定のビッドまたはオファーに関する検証試行の可視性（visibility）が、請求する参加者に対して具体的に示されてもよい。たとえば、参加者xがあるアイテムについて参加者yからの検証されたビッドを請求する場合、yは、好適な市場でそのアイテムをオファーする試行をしなければならない。本発明によれば、そのときyはあらかじめ選択された市場でオファーできる。本発明はさらに、yのオファーがxに示されてもよいことを開示する。それには、xまたはxの代理人がその市場を見ていると想定して、yのオファーをxのコンピュータ・ディスプレイ上で異なる色または他の何らかの好適な視覚的指標で示すことによるか、あるいは他の何らかの好適な仕方による。この「他見無用（for  your  eyes  only）」機能は、検証された見積もりの事前選択された参加者への選択的表示を許容する。
【００３８】
図３を参照すると、本発明を実装するための例示的なシステム３００が示されている。図示されるように、システム３００は一つまたは複数のワークステーション３１０を含んでいてもよい。ワークステーション３１０はローカルでもリモートでもよく、一つまたは複数の通信リンク３０２によって通信ネットワーク３０３に接続される。通信ネットワーク３０３は通信リンク３０５を介してサーバー３２０にリンクされている。サーバー３２０は、通信リンク３０７を介してバックオフィス決済センター３３０にリンクされていてもよい。
【００３９】
サーバー３２０は、任意の好適なサーバー、プロセッサ、コンピュータ、データ処理装置またはこれらの組み合わせであってよい。サーバー３２０は、RFQ注文ビッド／オファーおよび取引を処理および実行し、価格および量〔サイズ〕情報を含む取引および市場情報をワークステーション３１０に配信する支配論理を実装するために使われてもよい。通信ネットワーク３０３は好ましくはインターネットを含むが、いかなる好適なコンピュータ・ネットワークからなっていてもよい。そうしたコンピュータ・ネットワークは、イントラネット、広域ネットワーク（WAN）、構内ネットワーク（LAN）、無線ネットワーク、デジタル加入者線（DSL）ネットワーク、フレーム・リレー・ネットワーク、非同期転送モード（ATM）ネットワーク、仮想閉域網（VPN）またはこれらの任意の組み合わせといったものである。通信リンク３０２および３０５は、ワークステーション３１０とサーバー３２０との間でデータを通信するために好適ないかなる通信リンクであってもよい。そうした通信リンクは、ネットワーク・リンク、ダイヤルアップ・リンク、無線リンク、結線リンクなどといったものである。
【００４０】
ワークステーション３１０は、パーソナル・コンピュータ、ラップトップ・コンピュータ、メインフレーム・コンピュータ、ダム端末、データ・ディスプレイ、インターネット・ブラウザ、携帯情報端末（PDA）、双方向ポケベル、無線端末、携帯電話などまたはこれらの任意の組み合わせであってよい。参加者はワークステーション３１０を使って、取引されているアイテムについてのRFQおよびその他の注文およびその他のビッド、アスク、購入および売却注文を入力、修正または取り消しし、これらのアイテムに対応する市場活動を閲覧することができる。
【００４１】
典型的なワークステーション３１０は、受信したビッド（またはオファー価格より高い（または低い）プロセッサ３１１、ディスプレイ３１２、入力装置３１３およびメモリ３１４を含みうる。これらは相互接続されていてもよい。ある好ましい実施形態では、メモリ３１４は、プロセッサ３１１を制御するワークステーション・プログラムを記憶する記憶装置を含む。ワークステーション・プログラムは、図１に示され、ディスプレイ３１２上に表示されるインターフェースを走らせるための取引アプリケーションを含んでいてもよい。取引アプリケーションは図２に示されるプロセスをも走らせてもよい。ユーザーは入力装置３１３をディスプレイ３１２とともに使って、所望されるアイテムに対するRFQ注文およびその他のビッド／オファーを入力し、上記したように異なる価格でビッド／オファーを提供し、それに基づいて取引を実行および監視しうる。プロセッサ３１１は前記ワークステーション・プログラムを使ってシステム３００の複数ユーザーまたは他のユーザーによって取引されるアイテムに関係する取引情報を受信し、そのような情報をディスプレイ３１２上に表示したりそのような情報をサーバー３２０に通信したりしうる。
【００４２】
サーバー３２０はプロセッサ３２１、ディスプレイ３２２、入力装置３２３およびメモリ３２４を含みうる。これらは相互接続されていてもよい。ある好ましい実施形態では、メモリ３２４は、プロセッサ３２１を制御する支配論理を提供するサーバー・プログラムを記憶する記憶装置を含む。プロセッサ３２１は、前記サーバー・プログラムを使って、システム３００の複数ユーザーまたは他のユーザーによって操作されるさまざまなワークステーションから通信される注文を処理し、取引を実行し、取引情報やビッドおよびアスク情報をワークステーション３１０およびバックオフィス決済センター３３０に通信しうる。より特定的には、プロセッサ３２１は、前記サーバー・プログラムを使って、ユーザーが出したRFQおよびその他の注文を処理するとともに、より高いオファー価格またはより低いビッド価格をもつ他の注文をポストし、それらの注文への応答に基づいて取引を実行しうる。プロセッサ３２１はまた、プロセッサ３１１の機能の少なくとも一部をも実行してもよい。
【００４３】
バックオフィス決済（clearing）センター３３０は、取引が精算（settle）されるようにし、および／または取引が精算されたことを検証するための、コンピュータ、ラップトップ・コンピュータ、メインフレーム・コンピュータなどまたはこれらの任意の組み合わせといった任意の好適な装置であってよい。通信リンク３０７は、サーバー３２０とバックオフィス決済センター３３０との間でデータを通信するために好適な、ネットワーク・リンク、ダイヤルアップ・リンク、無線リンク、結線リンクなどといった任意の通信リンクであってよい。
【００４４】
図３に記載される本発明に基づく装置に鑑みて、以下のコメントもあてはまる。本稿に記載されたさまざまなプロセスがたとえば適切にプログラムされた汎用コンピュータおよびコンピューティング装置によって実装されうることは当業者にはすぐ明らかであろう。典型的には、プロセッサ（たとえば一つまたは複数のマイクロプロセッサ、一つまたは複数のマイクロコントローラ、一つまたは複数のデジタル信号プロセッサ）は命令を受領し（たとえばメモリまたは同様の装置から）、それらの命令を実行し、それによりそれらの命令によって定義される一つまたは複数のプロセスを実行する。
【００４５】
「プロセッサ」は、一つまたは複数のマイクロプロセッサ、中央処理装置（CPU）、コンピューティング装置、マイクロコントローラ、デジタル信号プロセッサまたは同様の装置またはその任意の組み合わせを意味する。
【００４６】
よって、プロセスの記述は、該プロセスを実行する装置の記述でもある。装置は、たとえばプロセッサと、前記方法を実行するために適切な入力装置および出力装置とを含むことができる。
【００４７】
さらに、そのような方法を実装するプログラム（および他の型のデータ）は、いくつもの仕方で多様な媒体（たとえばコンピュータ可読媒体）を使って記憶および送信されうる。いくつかの実施形態では、結線回路またはカスタム・ハードウェアが、さまざまな実施形態のプロセスを実装できるソフトウェア命令の一部または全部の代わりに、またはそれと組み合わせて、使用されてもよい。こうして、ソフトウェアのみの代わりに、ハードウェアおよびソフトウェアのさまざまな組み合わせが使用されうる。
【００４８】
用語「コンピュータ可読媒体」は、コンピュータ、プロセッサまたは同様の装置によって読まれうるデータ（たとえば命令、データ構造）を提供することに参加する任意の媒体を指す。そのような媒体は多くの形を取ることができ、これに限られないが、不揮発性媒体、揮発性媒体および伝送媒体が含まれる。不揮発性媒体はたとえば、光ディスクまたは磁気ディスクおよびその他の持続性メモリを含む。揮発性媒体は、典型的にメイン・メモリを構成する動的ランダム・アクセス・メモリ（DRAM）を含む。伝送媒体は同軸ケーブル、銅線および光ファイバーを含み、プロセッサに結合されるシステム・バスをなす線も含む。伝送媒体は、音響波、光波ならびに無線周波（RF）および赤外（IR）データ通信の際に生成されるような電磁放射を含んだり伝達したりしてもよい。コンピュータ可読媒体の一般的な形はたとえば、フロッピー（登録商標）・ディスク、フレキシブル・ディスク、ハードディスク、磁気テープ、他の任意の磁気媒体、CD-ROM、DVD、他の任意の光学式媒体、パンチカード、紙テープ、穿孔パターンをもつ他の任意の物理媒体、RAM、PROM、EPROM、フラッシュ‐EEPROM、他の任意のメモリ・チップまたはカートリッジ、後述の搬送波、またはコンピュータが読み取りできる他の任意の媒体を含む。
【００４９】
さまざまな形のコンピュータ可読媒体が、データ（たとえば命令のシーケンス）をプロセッサに運ぶのに関わりうる。たとえば、データは、（ｉ）RAMからプロセッサへ送達される、（ｉｉ）無線伝送媒体を通じて搬送される、（ｉｉｉ）イーサネット（登録商標）（またはIEEE802.3）、SAP、ATP、ブルートゥースおよびTCP/IP、TDMA、CDMAおよび3Gといった多数のフォーマット、規格またはプロトコルに従ってフォーマットおよび／または伝送される、および／または（ｉｖ）当技術分野でよく知られた多様な方法のいずれかによってプライバシーを保証したり欺瞞を防止したりするために暗号化されることができる。
【００５０】
このように、プロセスの記述は、該プロセスを実行するためのプログラムを記憶するコンピュータ可読媒体の記述でもある。コンピュータ可読媒体は、前記方法を実行するために適切なプログラム要素を（任意の適切なフォーマットで）記憶できる。
【００５１】
プロセスにおけるさまざまなステップの記述が記載されるステップすべてが必須であることを示すものではないのと同様、装置の実施形態は、記載されるプロセスの一部（必ずしも全部ではない）を実行するよう動作可能なコンピュータ／コンピューティング装置を含む。
【００５２】
同様に、プロセスにおけるさまざまなステップの記述が記載されるステップすべてが必須であることを示すものではないのと同様、プログラムまたはデータ構造を記憶するコンピュータ可読媒体の実施形態は、実行されたときに、プロセッサに、記載されるプロセスの一部（必ずしも全部ではない）を実行させることのできるプログラムを記憶するコンピュータ可読媒体を含む。
【００５３】
データベースが記述されるところでは、（ｉ）記載されるものとは代替的なデータベース構造が容易に採用できること、および（ｉｉ）データベース以外の他のメモリ構造が容易に採用できることが当業者には理解されるであろう。本稿で呈示されるいかなる見本のデータベースのいかなる図解や説明も、情報の記憶された表現についての例示的な構成である。たとえば図面その他で示されている表によって示唆されているもの以外にも、いくらでも他の構成が採用できる。同様に、データベースのいかなる図示した項目も、単に例示的な情報を表すものである。当業者は、項目の数および内容がここに記載されるものとは異なっていてもよいことを理解するであろう。さらに、データベースを表とするいかなる記載にもかかわらず、他のフォーマット（リレーショナル・データベース、オブジェクト・ベースのモデルおよび／または分散データベースを含む）が、ここに記載されるデータ型を記憶し、操作するために使用できる。同様に、ここに記載されるようなさまざまなプロセスを実装するために、データベースのオブジェクト方法または挙動が使用できる。さらに、データベースは、既知の仕方で、そのようなデータベースにおけるデータにアクセスするデバイスに対してローカルに記憶されてもリモートに記憶されてもよい。
【００５４】
さまざまな実施形態は、一つまたは複数の装置と通信している（たとえば通信ネットワークを介して）コンピュータを含むネットワーク環境において動作するよう構成されることができる。コンピュータは、直接的または間接的に、任意の有線または無線の媒体（たとえば、インターネット、LAN、WANまたはイーサネット（登録商標）、トークン・リング、電話線、ケーブル線、無線チャネル、光通信線、商業的なオンライン・サービス・プロバイダー、掲示板システム、衛星通信リンク、上記の任意のものの組み合わせ）を介して、前記諸装置と通信しうる。前記諸装置のそれぞれは、それ自身が、前記コンピュータと通信するよう適応された、インテル（登録商標）ペンティアム（登録商標）またはセントリノ（登録商標）プロセッサに基づくもののようなコンピュータまたは他のコンピューティング装置を有していてもよい。前記コンピュータとは、いかなる型の装置がいかなる数、通信していてもよい。
【００５５】
ある実施形態では、サーバー・コンピュータまたは中央機関は必要でも望ましくもないことがありうる。たとえば、本発明は、ある実施形態では、中央機関で実装されることなく、一つまたは複数の装置上で実施されてもよい。これはたとえば、システムがゴールドマン・サックスのようなディーラー参加者に関連付けられたワークステーション上で実施される場合などである。（それでも、ある実施形態では、検証のための価格は、eSpeedのための二年物米国財務省証券市場といった中央システム上での取引に利用可能にされてもよいし、あるいはまたゴールドマン・サックス内のみで利用可能にされてもよい。）そのような実施形態では、サーバー・コンピュータによって実行されるとして本稿に記載されるいかなる機能も、あるいはサーバー・コンピュータ上に記憶されるとして記載されるいかなるデータも、その代わりに、一つまたは複数のそのような装置によって実行され、あるいはそのような装置上に記憶されてもよい。あるいはまた、本発明は、上記のeSpeed取引システムのような外部システムとして構成される、実質的に中央集中された機関によって実装されてもよい。
【００５６】
以上は本発明の原理を単に例示するものであり、本発明は記載された実施形態以外の実施形態によって実施できることは理解されるであろう。記載された実施形態は、限定ではなく例示の目的で示されているのである。
【図面の簡単な説明】
【００５７】
【図１】本発明のある種の実施形態に基づく、ユーザーに対して表示されうるダイアログ・ボックスを示す図である。
【図２】本発明のある種の実施形態の機能を実行するために使用されうるプロセスを表すフローチャートを示す図である。
【図３】本発明のある種の実施形態のプロセスおよび機能を実装するために使用されうる例示的なシステムを示す図である。
【図１】
2009517739.tif 000002
【図２】
2009517739.tif 000003
【図３】
2009517739.tif 000004
2009517739.tif 000005
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
プログラムを記憶している記憶装置および該記憶装置に接続された少なくとも一つのプロセッサを有する装置であって、前記プログラムは前記少なくとも一つのプロセッサによって実行されると、前記少なくとも一つのプロセッサを：
要請する参加者から、あるアイテムについてのビッドを求める見積もり要請を受信する段階と；
前記見積もり要請に応答して、少なくとも一の応答する参加者から、第一の価格を有するビッドを受信する段階と；
前記応答する参加者からの前記ビッドに対する取引コマンドを、前記要請する参加者から受信する段階と；
前記第一の価格より高い第二の価格をもつオファーを電子市場にポストする段階と；
前記電子市場における前記オファーが前記第二の価格で第三者によって受け容れられたことを判定する段階と；
前記オファーが受け容れられたとの判定に少なくとも部分的に基づいて、前記取引コマンドを前記第二の価格で実行する段階と；
前記電子市場における前記オファーが受け容れられなかったことを判定する段階と；
前記オファーが受け容れられなかったとの判定に少なくとも部分的に基づいて、前記取引コマンドを前記第一の価格で実行する段階とを行うよう動作可能にする、
装置。
【請求項２】
前記プログラムが、前記少なくとも一つのプロセッサによって実行されると、前記少なくとも一つのプロセッサを、前記要請する参加者から前記取引コマンドを受信することに少なくとも部分的に基づいて、前記電子市場に前記オファーをポストするよう動作可能にする、請求項１記載の装置。
【請求項３】
前記プログラムが、前記少なくとも一つのプロセッサによって実行されると、前記少なくとも一つのプロセッサを、前記応答する参加者から前記ビッドを受信することに少なくとも部分的に基づいて、前記電子市場に前記オファーをポストするよう動作可能にする、請求項１記載の装置。
【請求項４】
前記プログラムが、前記少なくとも一つのプロセッサによって実行されると、前記少なくとも一つのプロセッサを：
前記応答する参加者から前記ビッドを受信すること、および
前記要請する参加者から前記取引コマンドを受信すること
のうちの少なくとも一方に基づいて、前記電子市場に前記オファーをポストするよう動作可能にする、請求項１記載の装置。
【請求項５】
前記電子市場が複数の電子市場のうちの一つであり、
前記プログラムが、前記少なくとも一つのプロセッサによって実行されると、前記少なくとも一つのプロセッサをさらに：
前記要請する参加者から、前記複数の電子市場のうちからの前記電子市場の選択を受信する段階と；
前記要請する参加者から受信された前記選択に少なくとも部分的に基づいて、前記複数の電子市場のうちからの前記電子市場に前記オファーをポストする段階とを行うよう動作可能にする、
請求項４記載の装置。
【請求項６】
前記プログラムが、前記少なくとも一つのプロセッサによって実行されると、前記少なくとも一つのプロセッサをさらに：
前記要請する参加者から価格差を受け取る段階と；
前記第一の価格および前記価格差に少なくとも部分的に基づいて、前記電子市場に前記オファーがポストされる前記第二の価格を決定する段階とを行うよう動作可能にする、請求項４記載の装置。
【請求項７】
前記プログラムが、前記少なくとも一つのプロセッサによって実行されると、前記少なくとも一つのプロセッサをさらに：
事前設定された価格差を判別する段階と；
前記第一の価格および前記価格差に少なくとも部分的に基づいて、前記電子市場に前記オファーがポストされる前記第二の価格を決定する段階とを行うよう動作可能にする、請求項４記載の装置。
【請求項８】
前記電子市場における前記オファーが受け容れられなかったことを判定する段階が、前記オファーが所定の時間期間にわたって、前記電子市場において取引されるために利用可能になっていて、かつ受け容れられなかったことを判定することを含む、請求項１記載の装置。
【請求項９】
前記プログラムが、前記少なくとも一つのプロセッサによって実行されると、前記少なくとも一つのプロセッサをさらに、前記要請する参加者から前記所定の時間期間を受け取るよう動作可能にする、請求項８記載の装置。
【請求項１０】
前記プログラムが、前記少なくとも一つのプロセッサによって実行されると、前記少なくとも一つのプロセッサをさらに：
前記オファーが受け容れられたとの判定に少なくとも部分的に基づいて、前記応答する参加者に対してコミッションが提供されるようにするよう動作可能にする、
請求項１記載の装置。
【請求項１１】
前記取引コマンドを前記第二の価格で実行する段階が、前記アイテムについてのトランザクションを、前記要請する参加者と前記第三者との間で実行することを含む、請求項１記載の装置。
【請求項１２】
前記取引コマンドを前記第一の価格で実行する段階が、前記アイテムについてのトランザクションを、前記要請する参加者と前記応答する参加者との間で実行することを含む、請求項１記載の装置。
【請求項１３】
プログラムを記憶している記憶装置および該記憶装置に接続された少なくとも一つのプロセッサを有する装置であって、前記プログラムは前記少なくとも一つのプロセッサによって実行されると、前記少なくとも一つのプロセッサを：
要請する参加者から、あるアイテムについてのオファーを求める見積もり要請を受信する段階と；
前記見積もり要請に応答して、少なくとも一の応答する参加者から、第一の価格を有するオファーを受信する段階と；
前記応答する参加者からの前記オファーに対する取引コマンドを、前記要請する参加者から受信する段階と；
前記第一の価格より低い第二の価格をもつビッドを電子市場にポストする段階と；
前記電子市場における前記ビッドが前記第二の価格で第三者によって受け容れられたことを判定する段階と；
前記ビッドが受け容れられたとの判定に少なくとも部分的に基づいて、前記取引コマンドを前記第二の価格で実行する段階と；
前記電子市場における前記ビッドが受け容れられなかったことを判定する段階と；
前記ビッドが受け容れられなかったとの判定に少なくとも部分的に基づいて、前記取引コマンドを前記第一の価格で実行する段階とを行うよう動作可能にする、
装置。
【請求項１４】
前記プログラムが、前記少なくとも一つのプロセッサによって実行されると、前記少なくとも一つのプロセッサを、前記要請する参加者から前記取引コマンドを受信することに少なくとも部分的に基づいて、前記電子市場に前記ビッドをポストするよう動作可能にする、請求項１３記載の装置。
【請求項１５】
前記プログラムが、前記少なくとも一つのプロセッサによって実行されると、前記少なくとも一つのプロセッサを、前記応答する参加者から前記オファーを受信することに少なくとも部分的に基づいて、前記電子市場に前記ビッドをポストするよう動作可能にする、請求項１３記載の装置。
【請求項１６】
前記プログラムが、前記少なくとも一つのプロセッサによって実行されると、前記少なくとも一つのプロセッサを：
前記応答する参加者から前記オファーを受信すること、および
前記要請する参加者から前記取引コマンドを受信すること
のうちの少なくとも一方に基づいて、前記電子市場に前記ビッドをポストするよう動作可能にする、請求項１３記載の装置。
【請求項１７】
前記電子市場が複数の電子市場のうちの一つであり、
前記プログラムが、前記少なくとも一つのプロセッサによって実行されると、前記少なくとも一つのプロセッサをさらに：
前記要請する参加者から、前記複数の電子市場のうちからの前記電子市場の選択を受信する段階と；
前記要請する参加者から受信された前記選択に少なくとも部分的に基づいて、前記複数の電子市場のうちからの前記電子市場に前記ビッドをポストする段階とを行うよう動作可能にする、
請求項１６記載の装置。
【請求項１８】
前記プログラムが、前記少なくとも一つのプロセッサによって実行されると、前記少なくとも一つのプロセッサをさらに：
前記要請する参加者から価格差を受け取る段階と；
前記第一の価格および前記価格差に少なくとも部分的に基づいて、前記電子市場に前記ビッドがポストされる前記第二の価格を決定する段階とを行うよう動作可能にする、請求項１６記載の装置。
【請求項１９】
前記プログラムが、前記少なくとも一つのプロセッサによって実行されると、前記少なくとも一つのプロセッサをさらに：
事前設定された価格差を判別する段階と；
前記第一の価格および前記価格差に少なくとも部分的に基づいて、前記電子市場に前記ビッドがポストされる前記第二の価格を決定する段階とを行うよう動作可能にする、請求項１６記載の装置。
【請求項２０】
前記電子市場における前記ビッドが受け容れられなかったことを判定する段階が、前記ビッドが所定の時間期間にわたって、前記電子市場において取引されるために利用可能になっていて、かつ受け容れられなかったことを判定することを含む、請求項１３記載の装置。
【請求項２１】
前記プログラムが、前記少なくとも一つのプロセッサによって実行されると、前記少なくとも一つのプロセッサをさらに、前記要請する参加者から前記所定の時間期間を受け取るよう動作可能にする、請求項２０記載の装置。
【請求項２２】
前記プログラムが、前記少なくとも一つのプロセッサによって実行されると、前記少なくとも一つのプロセッサをさらに：
前記ビッドが受け容れられたとの判定に少なくとも部分的に基づいて、前記応答する参加者に対してコミッションが提供されるようにするよう動作可能にする、
請求項１３記載の装置。
【請求項２３】
前記取引コマンドを前記第二の価格で実行する段階が、前記アイテムについてのトランザクションを、前記要請する参加者と前記第三者との間で実行することを含む、請求項１３記載の装置。
【請求項２４】
前記取引コマンドを前記第一の価格で実行する段階が、前記アイテムについてのトランザクションを、前記要請する参加者と前記応答する参加者との間で実行することを含む、請求項１３記載の装置。
【請求項２５】
要請する参加者から、あるアイテムについてのビッドを求める見積もり要請を受信する段階と；
前記見積もり要請に応答して、少なくとも一の応答する参加者から、第一の価格を有するビッドを受信する段階と；
前記応答する参加者からの前記ビッドに対する取引コマンドを、前記要請する参加者から受信する段階と；
前記第一の価格より高い第二の価格をもつオファーを電子市場にポストする段階と；
前記電子市場における前記オファーが前記第二の価格で第三者によって受け容れられたことを判定する段階と；
前記オファーが受け容れられたとの判定に少なくとも部分的に基づいて、前記取引コマンドを前記第二の価格で実行する段階とを有する、
方法。
【請求項２６】
前記要請する参加者から前記取引コマンドを受信することに少なくとも部分的に基づいて、前記電子市場に前記オファーをポストすることをさらに含む、請求項２５記載の方法。
【請求項２７】
前記応答する参加者から前記ビッドを受信することに少なくとも部分的に基づいて、前記電子市場に前記オファーをポストすることをさらに含む、請求項２５記載の方法。
【請求項２８】
前記応答する参加者から前記ビッドを受信すること、および
前記要請する参加者から前記取引コマンドを受信すること
のうちの少なくとも一方に基づいて、前記電子市場に前記オファーをポストすることをさらに含む、請求項２５記載の方法。
【請求項２９】
前記電子市場が複数の電子市場のうちの一つであり、
当該方法がさらに：
前記要請する参加者から、前記複数の電子市場のうちからの前記電子市場の選択を受信する段階と；
前記要請する参加者から受信された前記選択に少なくとも部分的に基づいて、前記複数の電子市場のうちからの前記電子市場に前記オファーをポストする段階とをさらに有する、
請求項２８記載の方法。
【請求項３０】
前記要請する参加者から価格差を受け取る段階と；
前記第一の価格および前記価格差に少なくとも部分的に基づいて、前記電子市場に前記オファーがポストされる前記第二の価格を決定する段階とをさらに有する、
請求項２８記載の方法。
【請求項３１】
事前設定された価格差を判別する段階と；
前記第一の価格および前記価格差に少なくとも部分的に基づいて、前記電子市場に前記オファーがポストされる前記第二の価格を決定する段階をさらに有する、
請求項２８記載の方法。
【請求項３２】
前記オファーが受け容れられたとの判定に少なくとも部分的に基づいて、前記応答する参加者に対してコミッションが提供されるようにする段階をさらに有する、
請求項２５記載の方法。
【請求項３３】
前記取引コマンドを前記第二の価格で実行する段階が、前記アイテムについてのトランザクションを、前記要請する参加者と前記第三者との間で実行することを含む、請求項２５記載の方法。
【請求項３４】
要請する参加者から、あるアイテムについてのオファーを求める見積もり要請を受信する段階と；
前記見積もり要請に応答して、少なくとも一の応答する参加者から、第一の価格を有するオファーを受信する段階と；
前記応答する参加者からの前記オファーに対する取引コマンドを、前記要請する参加者から受信する段階と；
前記第一の価格より低い第二の価格をもつビッドを電子市場にポストする段階と；
前記電子市場における前記ビッドが前記第二の価格で第三者によって受け容れられたことを判定する段階と；
前記ビッドが受け容れられたとの判定に少なくとも部分的に基づいて、前記取引コマンドを前記第二の価格で実行する段階とを有する、
方法。
【請求項３５】
前記要請する参加者から前記取引コマンドを受信することに少なくとも部分的に基づいて、前記電子市場に前記ビッドをポストすることをさらに含む、請求項３４記載の方法。
【請求項３６】
前記応答する参加者から前記オファーを受信することに少なくとも部分的に基づいて、前記電子市場に前記ビッドをポストすることをさらに含む、請求項３４記載の方法。
【請求項３７】
前記応答する参加者から前記オファーを受信すること、および
前記要請する参加者から前記取引コマンドを受信すること
のうちの少なくとも一方に基づいて、前記電子市場に前記ビッドをポストすることをさらに含む、請求項３４記載の方法。
【請求項３８】
前記電子市場が複数の電子市場のうちの一つであり、
当該方法がさらに：
前記要請する参加者から、前記複数の電子市場のうちからの前記電子市場の選択を受信する段階と；
前記要請する参加者から受信された前記選択に少なくとも部分的に基づいて、前記複数の電子市場のうちからの前記電子市場に前記ビッドをポストする段階とをさらに有する、
請求項３７記載の方法。
【請求項３９】
前記要請する参加者から価格差を受け取る段階と；
前記第一の価格および前記価格差に少なくとも部分的に基づいて、前記電子市場に前記ビッドがポストされる前記第二の価格を決定する段階とをさらに有する、
請求項３７記載の方法。
【請求項４０】
事前設定された価格差を判別する段階と；
前記第一の価格および前記価格差に少なくとも部分的に基づいて、前記電子市場に前記ビッドがポストされる前記第二の価格を決定する段階とをさらに有する、
請求項３７記載の方法。
【請求項４１】
前記ビッドが受け容れられたとの判定に少なくとも部分的に基づいて、前記応答する参加者に対してコミッションが提供されるようにする段階をさらに有する、
請求項３４記載の方法。
【請求項４２】
前記取引コマンドを前記第二の価格で実行する段階が、前記アイテムについてのトランザクションを、前記要請する参加者と前記第三者との間で実行することを含む、請求項３４記載の方法。
【国際調査報告】
2009517739.tif 000006